(57)【特許請求の範囲】
【請求項１】
床面上に設置されるキャビネットの底板を複数のアジャスタで受けて前記キャビネットの高さを調整する機構であって、
高さ方向において前記アジャスタと床面との間に介設される高さ調整台と、
高さ方向において前記キャビネットと前記高さ調整台との間の空間の前面開口部を遮蔽する盲板と、
前記高さ調整台の前方に取り付けられる前板と、
を備えたことを特徴とするキャビネットの高さ調整機構。
【請求項２】
前記高さ調整台の床面への接触面積を前記各アジャスタの高さ調整台への接触面積の合計よりも大きく設定したことを特徴とする請求項１記載のキャビネットの高さ調整機構。
【請求項３】
前記アジャスタを前記キャビネットの底板と側板に取り付けたことを特徴とする請求項１又は２記載のキャビネットの高さ調整機構。
【請求項４】
請求項１〜３の何れかに記載のキャビネットの高さ調整機構を備えたことを特徴とする収納庫。
【発明の詳細な説明】
【技術分野】
【０００１】
本発明は、床面上に設置されるキャビネットの高さを複数のアジャスタによって調整するための高さ調整機構及びこれを備えた収納庫に関するものである。
【背景技術】
【０００２】
例えばキッチンに設置される食器収納庫は、本体であるキャビネットの高さ調整機構を備えており、この高さ調整機構によってキャビネットの前後及び左右の傾きを修正したり、床の波打ち等に対応するようにしている。
【０００３】
ここで、キャビネットの高さ調整機構としては、床面上に設置されるキャビネットの底板と床面との間に複数のアジャスタを設置し、このアジャスタによってキャビネットの高さを調整するものが一般的に用いられている。
【０００４】
ところで、本出願人は、閉じ状態においてフラットな平面を成す左右のスライド扉の一方を手前側に引き出して横方向にスライドさせ、該スライド扉を他方のスライド扉に正面視で重ねることによって開くようにした収納庫を先に提案した（特許文献１参照）。このような収納庫によれば、全閉状態において左右のスライド扉はフラットな平面を成すために収納庫の収納スペースがスライド扉によって減少することがなく、又、収納庫を開閉するときには一方のスライド扉を手前側に引き出して横方向にスライドさせるために手前側に大きな開閉スペースを必要としないという効果が得られる。
【特許文献１】特許第３７４１２０２号公報
【発明の開示】
【発明が解決しようとする課題】
【０００５】
しかしながら、収納庫に備えられた従来のキャビネットの高さ調整機構においては、アジャスタは床面上に直接設置されていたため、キャビネットの荷重がアジャスタを介して床面によって受けられる。ここで、各アジャスタの床面への接触面積（接地面積）はキャビネットの底板の面積に比して小さいために床面がアジャスタから受ける面圧が過大となり、この過大な面圧のために床面が部分的に変形してキャビネットが傾く等の問題が発生することがあった。又、従来、アジャスタはキャビネット側に底板のみで固定され、キャビネットの荷重の全てが底板のみで受けられるため、キャビネットの構造上、底板が破壊する可能性があった。斯かる事情は特許文献１において提案された収納庫においても同じである。
【０００６】
本発明は上記問題に鑑みてなされたもので、その目的とする処は、床面に掛かる面圧を低く抑えて床面の変形とそれに伴う不具合を解消するとともに、キャビネットの荷重を分散させて底板の破壊を防ぐことができるキャビネットの高さ調整機構及びこれを備えた収納庫を提供することにある。
【課題を解決するための手段】
【０００７】
上記目的を達成するため、請求項１記載の発明は、床面上に設置されるキャビネットの底板を複数のアジャスタで受けて前記キャビネットの高さを調整する高さ調整機構において、高さ方向において前記アジャスタと床面との間に介設される高さ調整台と、高さ方向において前記キャビネットと前記高さ調整台との間の空間の前面開口部を遮蔽する盲板と、前記高さ調整台の前方に取り付けられる前板と、を備えたことを特徴とする。
【０００８】
請求項２記載の発明は、請求項１記載の発明において、前記高さ調整台の床面への接触面積を前記各アジャスタの高さ調整台への接触面積の合計よりも大きく設定したことを特徴とする。
【０００９】
請求項３記載の発明は、請求項１又は２記載の発明において、前記アジャスタを前記キャビネットの底板と側板に取り付けたことを特徴とする。
【００１２】
請求項４記載の発明は、収納庫が請求項１〜３の何れかに記載のキャビネットの高さ調整機構を備えたことを特徴とする。
【発明の効果】
【００１３】
請求項１記載の発明によれば、高さ方向においてアジャスタと床面との間に高さ調整台を介設し、請求項２記載の発明によれば、高さ調整台の床面への接触面積を各アジャスタの高さ調整台への接触面積の合計よりも大きく設定したため、床面が高さ調整台から受ける面圧が従来のように床面がアジャスタから受ける面圧に比して小さく抑えられ、この結果、床面の変形が防がれてキャビネットが傾く等の不具合が解消される。
請求項１記載の発明によれば、高さ方向においてキャビネットと高さ調整台との間の空間の前面開口部が盲板によって遮蔽され、空間に設置されたアジャスタが外部に露出することがないため、収納庫の外観性が高められる。
請求項１記載の発明によれば、高さ調整台の前方に前板を取り付けたため、アジャスタによってキャビネットの高さを調整しても、前板と床面との間に隙間が発生しない。又、キャビネットの高さを調整したために盲板と高さ調整台との間に高さ方向の隙間が生じた場合であっても、その隙間は前板によって覆われて前方からは見えないために収納庫の外観性が高められる。
【００１４】
請求項３記載の発明によれば、アジャスタをキャビネットの底板と側板に取り付けたため、キャビネットの荷重が底板と側板に分散されて負担されることとなり、底板への負荷が軽減されて該底板の破壊が防がれる。
【００１７】
請求項４記載の発明によれば、収納庫において請求項１〜３記載の発明の効果が得られる。
【発明を実施するための最良の形態】
【００１８】
以下に本発明の実施の形態を添付図面に基づいて説明する。
【００１９】
図１は本発明に係る収納庫の正面図、図２は図１のＡ−Ａ線断面図、図３は図２のＢ−Ｂ線断面図、図４は図２のＣ−Ｃ線断面図、図５は図２のＤ部拡大詳細図、図６はアジャスタの一部破断正面図、図７は同アジャスタの平面図、図８は図６のＥ−Ｅ線断面図である。
【００２０】
図１及び図２に示す収納庫１は、システムキッチンの床面ＦＬ上に設置される食器収納庫であって、矩形ボックス状のキャビネット２の前面開口部２ａはスライド扉３によって開閉される。このスライド扉３は、図２に示すようにキャビネット２の前面開口部２ａを閉じている状態から手前側(図２の左側)に引き出した後、横方向（図２の紙面垂直方向）にスライドさせることによってキャビネット２の前面開口部２ａを開くことができ、この開いた部分から食器類を出し入れすることができる。又、キャビネット２の開いた前面開口部２ａを閉じるには、スライド扉３を逆方向にスライドさせた後、該スライド扉３を奥側に押し込めば良い。尚、このスライド扉３の開閉機構の詳細は特許文献１に開示されている。又、図１はスライド扉３及び後述の盲板２０を取り外した状態を示している。
【００２１】
ここで、キャビネット２は、垂直に起立する左右の側板４，５と、これらの側板４，５の上端部間に水平に架設された天板６と、両側板４，５の下部間に水平に架設された底板７及び背面に張設された背板８によって矩形ボックス状に成形されており、床面ＦＬ上に垂直に起立した状態で設置され、その高さは本発明に係る高さ調整機構１０によって調整される。
【００２２】
又、図１及び図２に示すように、キャビネット２内の収納空間には４つの引出し９ａ，９ｂ，９ｃ，９ｄが上下に４段に亘って収納されており、各引出し９ａ〜９ｄは、両側板４，５の内面の相対向する箇所に水平に敷設された不図示のガイドレールに沿って手前側（図２の左側）に引き出すことができる。
【００２３】
次に、本発明に係る高さ調整機構１０の構成の詳細について説明する。
【００２４】
キャビネット２の底板７と床面ＦＬとの間には、左右の側板４，５と背板８で囲まれる空間が形成されており、この空間に矩形台状の高さ調整台１１が設置されている。この高さ調整台１１の底面には、図４に示すように、所定幅の矩形枠１１ａが形成されており、この矩形枠１１ａが床面ＦＬ上に接触している。
【００２５】
そして、図３に示すように、上記高さ調整台１１上の四隅にはアジャスタ１２がそれぞれ設置されており、各アジャスタ１２の上部はキャビネット２の底板７及び左右の側板４又は５に取り付けられている。従って、キャビネット２の荷重は４つのアジャスタ１２及び高さ調整台１１を介して床面ＦＬによって受けられる。
【００２６】
ここで、アジャスタ１２の構成の詳細を図６〜図８に基づいて説明する。尚、４つのアジャスタ１２の構成は全て同じである。
【００２７】
金属によって円錐台状に成形されたベース１３の中心部には球面状の凹部１３ａが形成されており、この凹部１３ａの中心に形成された円孔１３ｂには調整ボルト１４の下端が挿通している。この調整ボルト１４の下端のベース１３から下方に突出する端部には抜け止め用のクリップ１５が取り付けられており、調整ボルト１４はベース１３に対して傾動可能に立設されている。そして、調整ボルト１４のベース１３近傍の下部外周にはワッシャ１６が嵌着されており、このワッシャ１６とベース１３の凹部１３ａとの間には複数の鋼球１７が調整ボルト１４の外周に沿って円形に配列されており、これらの鋼球１７の転動によって調整ボルト１４を抵抗なく円滑に回転させることができる。尚、ベース１３の外周には樹脂製キャップ１８が被着されている。
【００２８】
又、調整ボルト１４の上半部外周にはネジ部１４ａが刻設されており、このネジ部１４ａには樹脂製のサポート１９が上下動可能に螺合挿通している。ここで、サポート１９には、水平部１９Ａと該水平部１９Ａの端部から垂直下方に向かって直角に折り曲げられた垂直部１９Ｂが設けられており、これらの水平部１９Ａと垂直部１９Ｂには４つのネジ挿通孔１９ａ，１９ｂがそれぞれ形成されている。尚、図７に示すように、調整ボルト１４の頂面には十字穴１４ｂが形成されている。
【００２９】
而して、各アジャスタ１２は、前述のように高さ調整台１１上の四隅にベース１３を下にして設置されており（図３参照）、サポート１９の水平部１９Ａは、これに形成されたネジ挿通孔１９ａに挿通する不図示のネジによってキャビネット２の底板７の下面に取り付けられ、垂直部１９Ｂは、これに形成されたネジ挿通孔１９ｂに挿通する不図示のネジによって左右の側板４，５の何れか一方の内面に取り付けられている（図１及び図２参照）。
【００３０】
従って、アジャスタ１２は、高さ方向においてキャビネット２の底板７と高さ調整台１１との間に形成される空間内に設置されているが、図２に示すように、この空間の前面開口部は、天板７の下面に垂直に取り付けられた盲板２０によって遮蔽されている。
【００３１】
ところで、本実施の形態では、キャビネット２の荷重は、４つのアジャスタ１２及び高さ調整台１１を介して床面ＦＬによって受けられるが、高さ調整台１１の矩形枠１１ａの床面ＦＬへの接触面積Ｓ１は各アジャスタ１２の高さ調整台１１への接触面積（ベース１３の底面積）Ｓ２の合計（Ｓ２×４）よりも大きく設定されている（Ｓ１＞Ｓ２×４）。
【００３２】
又、図５に詳細に示すように、高さ調整台１１の前方の左右の側板４，５には前板２１がナックルキャッチ２２によって脱着可能に取り付けられている。即ち、前板２１の裏面の左右にはナックルキャッチ２２の凸部品２２Ａが取り付けられ、左右の側板４，５の内面には凹部品２２Ｂがそれぞれ取り付けられており、凸部品２２Ａを凹部品２２Ｂに嵌め込んで前板２１を奥側（図５の右側）に押し込むことによって該前板２１をキャビネット２の左右の側板４，５に取り付けることができる。又、左右の側板４，５に取り付けられた前板２１をそのまま手前側（図５の左側）に引くことによって、該前板２１を左右の側板４，５から取り外すことができる。
【００３３】
以上のように構成された高さ調整機構１０によってキャビネット２の高さを調整するには、キャビネット２の底板７に形成された円孔７ａ(図２参照)に上方から不図示のドライバを差し込み、該ドライバの先端をアジャスタ１２の調整ボルト１４の頂面に形成された十字穴１４ｂ(図７参照)に係合させ、このドライバによって調整ボルト１４を回せば良い。すると、調整ボルト１４に螺合するサポート１９が調整ボルト１４に沿って上下動するため、キャビネット２の高さが調整され、キャビネット２の前後及び左右の傾きが修正されたり、床面ＦＬの波打ちを吸収してキャビネット２を垂直に起立させることができる。このように、本実施の形態では、キャビネット２の内部からアジャスタ１２を操作することによってキャビネット２の高さを作業性良く調整することができる。
【００３４】
而して、本発明に係る高さ調整機構１０によれば、高さ方向においてアジャスタ１２と床面ＦＬとの間に高さ調整台１１を介設し、この高さ調整台１１の矩形枠１１ａの床面ＦＬへの接触面積Ｓ１を各アジャスタ１２の高さ調整台１１への接触面積（ベース１３の底面積）Ｓ２の合計（Ｓ２×４）よりも大きく設定したため（Ｓ１＞Ｓ２×４）、床面ＦＬが高さ調整台１１から受ける面圧が従来のように床面ＦＬがアジャスタ１２から受ける面圧に比して小さく抑えられ、この結果、床面ＦＬの変形が防がれてキャビネット２が傾く等の不具合が解消される。
【００３５】
又、アジャスタ１２のサポート１９をキャビネット２の底板７及び側板４，５に取り付けたため、キャビネット２の荷重が底板７と側板４，５に分散されて負担されることとなり、底板７への負荷が軽減されて該底板７の破壊が防がれる。
【００３６】
更に、高さ方向においてキャビネット２と高さ調整台１１との間の空間の前面開口部が盲板２０によって遮蔽され、空間に設置されたアジャスタ１２が外部に露出することがないため、収納庫１の外観性が高められる。そして、高さ調整台１１の前方の左右の側板４，５に前板２１を脱着可能に取り付けたため、アジャスタ１２によってキャビネット２の高さを調整しても、前板２１と床面ＦＬとの間に隙間が発生しない。又、キャビネット２の高さを調整したたために盲板２０と高さ調整台１１との間に高さ方向の隙間δ（図５参照）が生じた場合であっても、その隙間δは前板２１によって覆われて前方から見えないために収納庫１の外観性が高められる。
【産業上の利用可能性】
【００３７】
本発明は、キッチンに設置される食器収納庫の他、台所用クローゼット、本箱、靴箱、物置等、任意の収納庫とそのキャビネットの高さ調整機構に対して適用可能である。
【図面の簡単な説明】
【００３８】
【図１】本発明に係る収納庫の正面図である。
【図２】図１のＡ−Ａ線断面図である。
【図３】図２のＢ−Ｂ線断面図である。
【図４】図２のＣ−Ｃ線断面図である。
【図５】図２のＤ部拡大詳細図である。
【図６】アジャスタの一部破断正面図である。
【図７】アジャスタの平面図である。
【図８】図６のＥ−Ｅ線断面図である。
【符号の説明】
【００３９】
１          収納庫
２          キャビネット
２ａ        キャビネットの前面開口部
３          スライド扉
４，５      キャビネットの側板
６          キャビネットの天板
７          キャビネットの底板
７ａ        底板の円孔
８          キャビネットの背板
９ａ〜９ｄ  引出し
１０        高さ調整機構
１１        高さ調整台
１１ａ      高さ調整台の矩形枠
１２        アジャスタ
１３        ベース
１３ａ      ベースの凹部
１３ｂ      ベースの円孔
１４        調整ボルト
１４ａ      調整ボルトのネジ部
１４ｂ      調整ボルトの十字穴
１５        クリップ
１６        ワッシャ
１７        鋼球
１８        樹脂製キャップ
１９        サポート
１９Ａ      サポートの水平部
１９ａ      サポートのネジ挿通孔
１９Ｂ      サポートの垂直部
１９ｂ      サポートのネジ挿通孔
２０        盲板
２１        前板
２２        ナックルキャッチ
２２Ａ      ナックルキャッチの凸部品
２２Ｂ      ナックルキャッチの凹部品
ＦＬ        床面
【図１】
0005398128.tif 000002
【図２】
0005398128.tif 000003
【図３】
0005398128.tif 000004
【図４】
0005398128.tif 000005
【図５】
0005398128.tif 000006
【図６】
0005398128.tif 000007
【図７】
0005398128.tif 000008
【図８】
0005398128.tif 000009